(57)【要約】【課題】デザイン性に優れ、表示画面やレンズなどの損傷しやすい部品を有効に保護し、かつ、安全性を確保することができる携帯電話機の提供。【解決手段】金属部材を多用するのではなく、携帯電話機１の中で注目されやすく、かつ、損傷しやすい背面の表示画面や写真撮影機構のレンズなどの部品の周囲にのみに金属プレート４を配設し、かつ、この金属プレート４を単に配設するのではなく、その近傍の上側筐体２などの部材に対して窪んだ状態となるように配置し、更に、金属プレート４の外周部や開口部、切り欠き部などの端部を上側筐体２側に落とし込んだり折り曲げる等の加工を施す。これにより、デザイン性に優れ、損傷しやすい部品を有効に保護することができ、かつ、安全性が確保された折り畳み構造の携帯電話機１を実現することができる。【選択図】図１
2006166033.tif 000002
【特許請求の範囲】
【請求項１】
第１の筐体と第２の筐体とが蝶番によって開閉可能に保持され、前記第１の筐体の前記第２の筐体に対向する内面及び該内面と反対側の背面の双方に表示画面を備える折り畳み構造の携帯電話機において、
前記第１の筐体の前記背面に、前記表示画面の周囲を少なくとも覆う金属プレートが配設され、前記金属プレートは、該金属プレート近傍の前記第１の筐体に対して窪んだ状態となるように配置されていることを特徴とする携帯電話機。
【請求項２】
第１の筐体と第２の筐体とが蝶番によって開閉可能に保持され、前記第１の筐体の前記第２の筐体に対向する内面及び該内面と反対側の背面の双方に表示画面を備え、前記第１の筐体の前記背面に、写真撮影機構の光学系を備える折り畳み構造の携帯電話機において、
前記第１の筐体の前記背面に、前記表示画面及び前記光学系の周囲を少なくとも覆う金属プレートが配設され、前記金属プレートは、該金属プレート近傍の前記第１の筐体に対して窪んだ状態となるように配置されていることを特徴とする携帯電話機。
【請求項３】
前記金属プレートは、該金属プレート近傍の前記表示画面、又は、前記表示画面及び前記光学系に対しても窪んだ状態となるように配置されていることを特徴とする請求項１又は２に記載の携帯電話機。
【請求項４】
前記金属プレートの外周部の端部は、前記第１の筐体側に折り曲げられていることを特徴とする請求項１乃至３のいずれか一に記載の携帯電話機。
【請求項５】
前記第１の筐体の前記端部に対向する位置に、折り曲げられた前記金属プレートを格納可能な溝が形成されていることを特徴とする請求項４記載の携帯電話機。
【請求項６】
前記金属プレートに設けられた開口部又は切り欠き部の少なくとも一方の端部は、前記第１の筐体側に落とし込まれていることを特徴とする請求項１乃至５のいずれか一に記載の携帯電話機。
【請求項７】
前記金属プレートは両面テープで前記第１の筐体に固定され、前記金属プレートが着脱可能に構成されていることを特徴とする請求項１乃至６のいずれか一に記載の携帯電話機。
【発明の詳細な説明】
【技術分野】
【０００１】
本発明は携帯電話機に関し、特に、少なくとも背面に表示画面を備えた折り畳み構造の携帯電話機に関する。
【背景技術】
【０００２】
近年、携帯電話機は急速に進歩しており、無線通信機能のみならず、電子メールの送受信機能や写真撮影機能、ｗｅｂサイトの閲覧機能、ＴＶ放送受信機能などの様々な機能を備えた機種が販売されている。また、差別化を図るためにデザイン性を向上させるための工夫も行われており、例えば、特開２００４−３９３２７号公報にはデザイン性を向上させるためにキーボタンの構造に特徴を持たせた携帯電話機が開示されている。
【０００３】
【特許文献１】特開２００４−３９３２７号公報（第５−７頁、第４図）
【発明の開示】
【発明が解決しようとする課題】
【０００４】
ここで、従来の折り畳み構造の携帯電話機では背面には特徴的な部品は設けられておらず、筐体の背面はデザイン上、重要な部分ではなかったが、近年の携帯電話機には内面のみならず背面にも大きな液晶画面などの表示画面が設けられており、この表示画面は使用者に注目される部分であるため、筐体の背面もデザイン上、重要な部分となってきている。従って、携帯電話機の差別化を図るためには筐体の背面に高級感を出すなどの工夫が必要となるが、携帯電話機の筐体は軽量化の要請から通常プラスチックなどで製作されており、プラスチックでは上質な質感を出すことができないためデザイン性を向上させることが難しい。
【０００５】
また、デジタルカメラの機能を備えた折り畳み構造の携帯電話機の場合は、筐体の背面に大きな表示画面に加えて写真撮影機構のレンズなどの光学系も配置されているが、これらの表示画面やレンズなどの部品は傷付きやすく機械的強度が弱いため確実に保護する必要がある。特に携帯電話機は身に付けて持ち運びされることが多く、大きな力が加わりやすいことから、上記表示画面や写真撮影機構のレンズなどの損傷しやすい部品を有効に保護する構造が必要となる。
【０００６】
また、携帯電話機は直接触れて使用されるものであるため、使用者を傷つけることがないように安全性を考慮した構造を案出する必要もある。
【０００７】
このように、携帯電話機を設計するに際して、表示画面などの使用者に注目される部品が配置される背面のデザイン性を向上させる工夫が必要であり、また、表示画面や写真撮影機構のレンズなどの損傷しやすい部品を有効に保護する必要があり、更には、使用者を傷つけることがないように安全性を考慮する必要もあり、このような要求を満足することができる携帯電話機の提案が望まれている。
【０００８】
本発明は、上記問題点に鑑みてなされたものであって、その主たる目的は、デザイン性に優れ、表示画面やレンズなどの損傷しやすい部品を有効に保護し、かつ、安全性を確保することができる携帯電話機を提供することにある。
【課題を解決するための手段】
【０００９】
上記目的を達成するため、本発明の携帯電話機は、第１の筐体と第２の筐体とが蝶番によって開閉可能に保持され、前記第１の筐体の前記第２の筐体に対向する内面及び該内面と反対側の背面の双方に表示画面を備える折り畳み構造の携帯電話機において、前記第１の筐体の前記背面に、前記表示画面の周囲を少なくとも覆う金属プレートが配設され、前記金属プレートは、該金属プレート近傍の前記第１の筐体に対して窪んだ状態となるように配置されているものである。
【００１０】
また、本発明の携帯電話機は、第１の筐体と第２の筐体とが蝶番によって開閉可能に保持され、前記第１の筐体の前記第２の筐体に対向する内面及び該内面と反対側の背面の双方に表示画面を備え、前記第１の筐体の前記背面に、写真撮影機構の光学系を備える折り畳み構造の携帯電話機において、前記第１の筐体の前記背面に、前記表示画面及び前記光学系の周囲を少なくとも覆う金属プレートが配設され、前記金属プレートは、該金属プレート近傍の前記第１の筐体に対して窪んだ状態となるように配置されているものである。
【００１１】
本発明においては、前記金属プレートは、該金属プレート近傍の前記表示画面、又は、前記表示画面及び前記光学系に対しても窪んだ状態となるように配置されている構成とすることができる。
【００１２】
また、本発明においては、前記金属プレートの外周部の端部は、前記第１の筐体側に折り曲げられている構成とすることができ、前記第１の筐体の前記端部に対向する位置に、折り曲げられた前記金属プレートを格納可能な溝が形成されている構成とすることもできる。
【００１３】
また、本発明においては、前記金属プレートに設けられた開口部又は切り欠き部の少なくとも一方の端部は、前記第１の筐体側に落とし込まれている構成とすることもできる。
【００１４】
また、本発明においては、前記金属プレートは両面テープで前記第１の筐体に固定され、前記金属プレートが着脱可能に構成されていることが好ましい。
【００１５】
このように、本発明の構成によれば、折り畳み構造の携帯電話機の背面に配置される表示画面や写真撮影機構のレンズなどの周囲に金属プレートを配置することによって質感を高めてデザイン性を向上させることができ、また、金属プレートによって表示画面やレンズなどの損傷しやすい部品を有効に保護することができ、更に、金属プレートを周囲の部材に対して窪んだ状態となるように配置したり、金属プレートの端部を筐体側に落とし込んだり折り曲げたりすることによって安全性も確保することができる。
【発明の効果】
【００１６】
以上説明したように、本発明の折り畳み構造の携帯電話機によれば、下記記載の効果を奏する。
【００１７】
本発明の第１の効果は、携帯電話機のデザイン性を向上させることができるということである。その理由は、表示画面のような使用者に注目される部品の近傍はデザイン上、重要な部分であり、この部分にアルミやアルミ合金などからなる金属プレートを配置することによって携帯電話機全体の質感を高め、高級感を醸し出すことができるからである。また、この金属プレートは両面テープなどによって着脱可能に固定されているため、使用者の好みに応じて任意の金属プレートに差し替えることもできるからである。
【００１８】
また、本発明の第２の効果は、損傷しやすい部品を有効に保護することができるということである。その理由は、液晶画面などの表示画面や写真撮影機構のレンズなどの損傷しやすい部品の周囲に金属プレートを配置することによって、強い力が加わった場合でもこれらの部品の損傷を防止することができるからである。
【００１９】
また、本発明の第３の効果は、安全性の高い携帯電話機を提供することができるということである。その理由は、金属プレートを単に表示画面や写真撮影機構のレンズなどの周囲に配置するのではなく、金属プレートをその近傍の筐体などの部材に対して窪んだ状態となるように配置し、更に、金属プレートの外周部や開口部、切り欠き部などの端部を筐体方向に落とし込んだり折り曲げることによって、使用者が金属プレートに接触したとしても使用者を傷つける恐れがなくなるからである。
【発明を実施するための最良の形態】
【００２０】
従来技術で示したように、近年の携帯電話機は筐体の背面にも表示画面が設けられており、この表示画面のような使用者に注目される部品の近傍の部分はデザイン上、重要な部分であることから、他の携帯電話機との差別化を図るために背面のデザイン性を向上させることが重要である。また、携帯電話機の背面は表示画面や写真撮影機構のレンズなどの損傷しやすい部品が露出していることからこれらの部品を有効に保護することも重要である。更には、どのような使用形態においても使用者を傷付けることがないように安全性を確保する必要もある。
【００２１】
ここで、デザイン性を向上させたり損傷しやすい部品を保護するために金属材料を使用する構造も考えられる。しかしながら、金属材料を様々な場所に配置すると携帯電話機の重量が増加してしまい、また、金属材料などの強固な部材は構造によっては使用者を傷付けてしまう恐れがある。
【００２２】
そこで、本願発明者は、金属部材を多用するのではなく、携帯電話機の中でデザイン上重要な注目されやすい部品であり、かつ、損傷しやすい部品の周囲にのみに金属プレートを配設し、かつ、この金属プレートを単に配設するのではなく、その近傍の部材に対して窪んだ状態となるように配置し、更に、金属プレートの外周部や開口部、切り欠き部などの端部を筐体側に落とし込んだり折り曲げる等の加工を施すことにより、デザイン性に優れ、損傷しやすい部品を有効に保護することができ、かつ、安全性が確保された携帯電話機を実現している。
【００２３】
なお、従来より、ＴＶ、オーディオ機器等にはアルミなどの飾り板等が加飾の方法として用いられているが、これらの機器は設置されて使用されるものであるため重量の制限は厳しくなく、また、機器に大きな力が加わることも考えづらいことから、飾り板はデザイン性のみを考慮して設計されている。従って、この飾り板を携帯電話機に適用したとしても上記問題を解決することができず、本願発明の構造によってのみ上記全ての問題を解決することができる。
【実施例】
【００２４】
上記した本発明の実施の形態についてさらに詳細に説明すべく、本発明の一実施例に係る金属プレートを備える携帯電話機について、図１乃至図７を参照して説明する。図１は、本発明の一実施例に係る携帯電話機の構造を示す斜視図であり、図２は、そのＡ−Ａ線における断面図及び部分拡大図、図３は、Ｂ−Ｂ線における断面図である。また、図４は、本実施例の携帯電話機の金属プレートを取り外した状態を示す斜視図であり、図５は、そのＣ−Ｃ線における上側筐体の断面図、図６は、Ｄ−Ｄ線における上側筐体の断面図である。また、図７は、本実施例の金属プレートの構造のバリエーションを示す平面図である。
【００２５】
図１に示すように、本実施例の折り畳み構造の携帯電話機１は、一方の筐体（上側筐体２）に、待ち受け画面、各種機能の設定画面、ｗｅｂ画面等の表示を行う液晶表示素子やＥＬ発光素子などで形成された表示画面や、静止画や動画を撮影するための写真撮影機構などを備え、他方の筐体（下側筐体３）に、数字キーや方向キー、特殊機能キー等の複数のキーが配列されたキー操作部や、電話の交信、メールの送受信、ｗｅｂ画面の受信、ＴＶ放送の受信等を行う無線通信部や各種設定値を記憶する内部記憶装置、各種機能を制御する制御部などを備えている。
【００２６】
ここで、従来の折り畳み構造の携帯電話機には、上側筐体２の背面（折り畳んだ状態における内側の面（内面）と反対側の面）には特徴的な部品は設けられておらず、デザイン上、重要な部分ではなかった。しかしながら、近年の携帯電話機１は、上側筐体２と下側筐体３を閉じたままでも電子メールの内容などを確認することができるように、上側筐体２の背面にも大きな表示画面が設けられており、表示画面は使用者に注目される部分であることから、上側筐体２の背面もデザイン上、重要な部分となり、背面のデザイン性を向上させるための工夫が求められている。
【００２７】
また、デジタルカメラの機能を備えた折り畳み構造の携帯電話機では、上側筐体２の背面に上記表示画面と共に写真撮影機構のレンズなどの光学系も配置されるが、これらの部品は損傷しやすいために、表示画面の表面には背面表示部カバー６が設けられ、写真撮影機構のレンズなどの光学系の表面にもカメラカバー５が設けられている。しかしながら、このようなカバーは上記部品が他の物品と接触した場合などに傷つかないようにするためのものであり、カバー自体はプラスチックやガラスなどで形成されているため、大きい力が加わった場合にこれらの部品を十分に保護することはできない。また、筐体自体を金属などで形成して上記部品を保護する構造も考えられるが、金属を大量に使用すると携帯電話機１の軽量化が図れなくなってしまい好ましくなく。
【００２８】
そこで、本実施例の携帯電話機１では、デザイン性を向上させることができ、かつ、損傷しやすい部品を有効に保護し、更に、重量の増加を極力抑えることができるように、注目される部品であって損傷しやすい部品の周囲（特に、背面表示画面や写真撮影機構のレンズ近傍）にのみ、アルミやアルミ合金などからなる板状の金属プレート４を取り付け、金属の質感によって高級感を醸し出し、デザイン性を向上させる装飾部材として機能させると共に、該金属プレートを保護部材として機能させている。
【００２９】
なお、上記金属プレート４は、少なくとも注目される部品であって損傷しやすい部品の周囲を覆う形状であればよく、図の形状に限定されない。また、金属プレート４の材料はアルミやアルミ合金に限定されず、軽量で強度が高く、安価な金属材料であればよく、また、金属プレート４の厚みも特に限定されず、保護部材としての機能を果たす厚みであればよい。
【００３０】
また、金属プレート４の表面形態も特に限定されず、その質感によってプラスチック等の仕上げでは実現できない高級感や差別化を実現することができればよく、例えば、金属プレート４の表面を平滑にして光沢状態にしてもよいし、金属プレート４の表面に微少な凹凸を設けてつや消し状態にしてもよいし、金属プレート４の表面に塗装をしたり模様を形成してもよい。なお、金属プレート４の表面が光沢状態であると表示画面の視認性が悪くなることも考えられる。その場合には、例えば、図７に示すように、背面の表示画面近傍の領域につや消し部１０を設け、その他の領域は高級感を出すために光沢部９にするなどのバリエーションも可能である。
【００３１】
また、上記金属プレート４の固定構造も特に限定されないが、金属プレート４は振動や衝撃によって容易に外れないようにする必要があり、また、金属プレート４の表面にキズが付いたり、使用者が別の金属プレート４を差し替えることを望む場合も考えられることから着脱可能な固定構造にすることが好ましく、例えば、両面テープなどの粘着性部材などにより上側筐体２に貼り付ける構成とすることもできる。
【００３２】
ここで、背面の表示画面や写真撮影機構のレンズなどはキー操作部などとは異なり、使用者が直接触れる部分ではないが、携帯電話機１は身に付けて持ち運ばれることが多く、身体に接触した場合に誤って使用者を傷つけることがないように安全性を配慮する必要がある。そこで、本実施例の携帯電話機１では、単に金属プレート４を上側筐体２の所定の位置に取り付けるのではなく、図２及び図３に示すように、金属プレート４の表面が他の部材（上側筐体２や背面表示部カバー６、レンズカバー５など）に対して窪んだ状態となるようにしている。
【００３３】
具体的に説明すると、図２（ａ）に示すように、本実施例の金属プレート４は背面表示部カバー６の端部と部分的に接触して背面表示部カバー６を押さえ込むように形成されているが、背面表示部カバー６の周囲を薄くし、かつ、金属プレート４を装着した状態で上側筐体２及び背面表示部カバー６に対して窪んだ状態となるように、金属プレート４の取り付け構造や厚みを設定している。また、図３に示すように、カメラカバー５に対しても金属プレート４が窪んだ状態となるようにその取り付け構造や厚みを設定している。なお、金属プレート４は少なくとも該金属プレート４近傍の上側筐体２に対して窪んだ状態となるように配置されていればよい。また、金属プレート４はその近傍の部材に対して窪んだ状態となるように配設されていればよいが、窪みすぎると保護部材としての機能を果たさなくなってしまうことから、本実施例の構造では、図２（ｂ）に示すように、金属プレート４の表面はその近傍の上側筐体２の表面よりも略０．３ｍｍ、背面表示部カバー５よりも略０．２ｍｍ低くなるように設定し、金属プレート４を保護部材として機能できるようにしている。
【００３４】
このように、金属プレート４を該金属プレート４近傍の部材（上側筐体２、又は、上側筐体２及び背面表示部カバー６及びカメラカバー５）に対して窪んだ状態となるように配置することによって、使用者を傷つける危険を回避することができるが、携帯電話機１が身体に強く押しつけられた場合などに金属プレート４の端部のエッジによって使用者を傷つけてしまう恐れもある。そこで、本実施例の携帯電話機１では、金属プレート４の表面とその近傍の部材との凹凸関係を考慮するのみならず、金属プレート４の端部に所定の処理を施すことにより上記問題の発生も回避している。
【００３５】
具体的に説明すると、図４（ａ）に示すように、金属プレート４には背面表示部カバー６用の開口部やカメラカバー５用の開口部、着信ＬＥＤレンズ７用の開口部、カメラライトレンズ８用の切り欠き部などが設けられており、金属プレート４の端部（金属プレート４の外周部や上記開口部、上記切り欠き部など）に人体が接触すると使用者を傷つけてしまう恐れがあるため、金属プレートの開口部や切り欠き部などに対しては端部を内側（上側筐体２側）に落とし込む構造（図２（ｂ）参照）を設け、金属プレート４の外周部に対しては端部を内側（上側筐体２側）に折り曲げる構造（図２（ｂ）参照）を設けている。
【００３６】
また、上記折り曲げ構造を実現するために、図５及び図６に示すように上側筐体２にも金属プレート４の端部を逃がすための溝部２ａを設け、また、上記落とし込み構造を実現するために、図２及び図３に示すように背面表示部カバー６やカメラカバー５の外周にも金属プレート４の端部を逃がすための凹部を設けている。なお、この溝部２ａや凹部は、金属プレート４の落とし込み構造や折り曲げ構造を逃がすことができる形状であればよく、金属プレート４の落とし込み構造や折り曲げ構造よりも大きくしてもよいし、例えば、金属プレート４の折り曲げ構造と嵌合する溝部２ａを設けてもよく、嵌合構造の場合は金属プレート４を上側筐体２に固定することができるため、両面テープなどの固定用部材を省略することができる。
【００３７】
このように、本実施例では、携帯電話機１の構成部品の中で、注目されやすく、かつ、損傷しやすい背面表示画面やレンズなどの部品の周囲に、アルミやアルミ合金などで構成された金属プレート４を両面テープなどによって固定し、かつ、金属プレート４の表面が近傍の部材に対して窪んだ状態となるように配置し、更に、金属プレート４の外周部や開口部、切り欠き部などの端部を内側筐体２側に落とし込んだり折り曲げることにより、金属プレート４の質感によってプラスチック等の仕上げでは実現できない高級感や差別化を実現してデザイン性を向上させ、かつ、金属プレート４によって損傷しやすい部材を有効に保護し、更に、安全性を十分に高めた携帯電話機１を実現することができる。
【００３８】
なお、上記実施例では、金属プレート４を背面表示画面及びレンズ部の周囲に設けたが、携帯電話機１の表面に露出し、注目されやすくかつ損傷しやすい部材の少なくとも一部を覆うように配設されていればよい。また、上記実施例では、金属プレート４を１つ設ける場合を示したが、２つ以上の金属プレート４（例えば、背面表示部周囲の第１の金属プレートとレンズ周囲の第２の金属プレートなど）を個別に設けてもよい。また、本実施例では折り畳み構造の携帯電話機について説明したが、本発明は上記実施例に限定されるものではなく、ストレート式の携帯電話機にも同様に適用することができる。
【産業上の利用可能性】
【００３９】
携帯電話機と同様に、持ち運んで使用され、デザイン性が重視される薄型、軽量の機器、例えば、ＰＤＡなどの携帯端末やデジタルカメラ、ゲーム機などの携帯機器についても同様に適用することができる。
【図面の簡単な説明】
【００４０】
【図１】本発明の一実施例に係る携帯電話機の構造を示す斜視図である。
【図２】本発明の一実施例に係る携帯電話機の構造を示す図であり、図１のＡ−Ａ線における断面図及びその部分拡大図である。
【図３】本発明の一実施例に係る携帯電話機の構造を示す図であり、図１のＢ−Ｂ線における断面図である。
【図４】本発明の一実施例に係る携帯電話機における金属プレート４を取り外した状態を示す斜視図である。
【図５】本発明の一実施例に係る携帯電話機の上側筐体の構造を示す図であり、図４のＣ−Ｃ線における断面図である。
【図６】本発明の一実施例に係る携帯電話機の上側筐体の構造を示す図であり、図４のＤ−Ｄ線における断面図である。
【図７】本発明の一実施例に係る携帯電話機の金属プレートの構造のバリエーションを示す平面図である。
【符号の説明】
【００４１】
１  携帯電話機
２  上側筐体
２ａ  溝部
３  下側筐体
４  金属プレート
４ａ  開口部
４ｂ  切り欠き部
５  カメラカバー
６  背面表示部カバー
７  着信ＬＥＤレンズ
８  カメラレンズ
９  光沢部
１０  つや消し部
【図１】
2006166033.tif 000003
【図２】
2006166033.tif 000004
【図３】
2006166033.tif 000005
【図４】
2006166033.tif 000006
【図５】
2006166033.tif 000007
【図６】
2006166033.tif 000008
【図７】
2006166033.tif 000009